(57)【要約】      （修正有）【課題】黒鉛製放熱器において、黒鉛製ヒートシンク集合体を保護するようにし、且つ、熱発散効果を改善し、製造コストを低減する。【解決手段】黒鉛製放熱器３０は、黒鉛製ヒートシンク集合体３２と、一対の挟み支持枠３４とを有する。黒鉛製ヒートシンク集合体３２は、基板３２０２と、基板上に縦向きに並んで固定してある複数の黒鉛製シート３２０４とを有する。挟み支持枠３４は、基部３４０２と、挟み部３４０４と、枠体３４０６とを有する。基部３４０２は板体４０の上表面に固定され、枠体３４０６は基部から上へ延在し、挟み部３４０４は枠体の側面から横向きに延在して基板３２０２を挟んで黒鉛製ヒートシンク集合体３２を板体４０の上方に固定する。黒鉛製ヒートシンク集合体３２は板体４０の表面に設けられて基板３２０２の下方と接触している発熱部品が発生する熱を放散する。【選択図】図２
0003139496.tif 000002
【実用新案登録請求の範囲】
【請求項１】
一つの基板（３２０２）と複数の黒鉛製シート（３２０４）を有し、前記黒鉛製シート（３２０４）が前記基板（３２０２）の表面に固定して設けてある黒鉛製ヒートシンク集合体（３２）と、
少なくとも一つの基部（３４０２）と、少なくとも一つの挟み部（３４０４）と、枠体（３４０６）を有する少なくとも一つの挟み支持枠（３４）とを有し、
前記挟み支持枠（３４）の前記基部（３４０２）が板体（４０）の上表面に固定され、上記枠体（３４０６）は前記基部（３４０２）から上へ延在し、前記挟み部（３４０４）が前記枠体（３４０６）の側面から横向きに延在して前記基板（３２０２）を挟み、前記黒鉛製ヒートシンク集合体（３２）を前記板体（４０）の上方に固定してなる黒鉛製放熱器。
【請求項２】
前記基板（３２０２）は、黒鉛製基板である請求項１に記載の黒鉛製放熱器。
【請求項３】
前記黒鉛製シート（３２０４）は、互いに間隔を置いて前記基板（３２０２）の上表面に固定されて、前記基板（３２０２）の上表面から上へ延在しており、
前記挟み部（３４０４）は、左挟み部材（５０）と、右挟み部材（５２）と、中段挟み部材（５４）とを有し、
前記左挟み部材（５０）と右挟み部材（５２）は、別々に前記枠体（３４０６）の左右両側に設けられ、
前記左挟み部材（５０）と右挟み部材（５２）は、それぞれ上挟み突出部（３４０４ａ）と下挟み突出部（３４０４ｂ）を有し、前記上挟み突出部と下挟み突出部により前記基板（３２０２）を挟み、
前記中段挟み部材（５４）は、前記左挟み部材（５０）と右挟み部材（５２）の間に設けられ、複数の上挟み突出部（３４０４ａ´）と一つの下支持板（３４０４ｃ）を有し、前記上挟み突出部（３４０４ａ）は前記黒鉛製シートの間隙に進入して前記下支持板（３４０４ｃ）との間で前記基板（３２０２）を挟む請求項１記載の黒鉛製放熱器。
【請求項４】
前記黒鉛製シート（３２０４）は、前記基板（３２０２）の表面の複数の溝構造に嵌め込んである請求項１記載の黒鉛製放熱器。
【請求項５】
上記板体（４０）は、プリント配線板であることを特徴とする請求項１記載の黒鉛製放熱器。
【請求項６】
前記挟み支持枠（３４）は、更に、第一ファン枠（６０）を有し、
前記第一ファン枠（６０）は、少なくとも一つの支持枠（６２）と、前記支持枠（６２）に設けられた第一貫通孔（６４）とを有し、
前記支持枠（６２）は、前記枠体（３４０６）の上端から横向に黒鉛製ヒートシンク集合体（３２）の上方へ延在し、
少なくとも一つの第一嵌合部材（６６）が前記第一貫通孔（６４）を通っており、第一ファン（６８）が横向に第一ファン枠（６０）に固定してある請求項１記載の黒鉛製放熱器。
【請求項７】
上記枠体（３４０６）は、透かし彫りで開口が形成してあり、
前記挟み支持枠（３４）は、更に、第二ファン枠（７０）を有し、
前記第二ファン枠は、一対のＬ形取り付け爪（７２）と、前記枠体（３４０６）にある一対の第二貫通孔（７４）を有し、
前記一対のＬ形取り付け爪（７２）は、横向に枠体（３４０６）から延ばして縱向に設けられる第二ファン（７８）の縁を固定し、
二つの第二嵌合部材（７６）が、前記一対の第二貫通孔（７４）を通って前記第二ファン（７８）を前記第二ファン枠（７０）に固定する請求項１記載の黒鉛製放熱器。
【請求項８】
前記基部（３４０２）の底部と前記挟み部（３４０４）との間に隔たりがあり、この隔たりにより発熱部品を前記基板（３２０２）と前記板体（４０）の間に収納する請求項１記載の黒鉛製放熱器。
【請求項９】
前記挟み支持枠（３４）は、二つであって、対称に設けられ、前記基板（３２０２）のうち前記黒鉛製ヒートシンク集合体（３２）の相対する両側に位置する部分を挟んで固定する請求項１記載の黒鉛製放熱器。
【考案の詳細な説明】
【技術分野】
【０００１】
本考案は黒鉛製放熱器（ヒートシンク）に係り、特に、挟み支持枠でもって黒鉛製ヒートシンク集合体を挟んで固定した構成の黒鉛製放熱器に関する。
【背景技術】
【０００２】
図１は従来の黒鉛製放熱器２を示す。黒鉛製放熱器２は黒鉛製ヒートシンク集合体４よりなり、マイクロプロセッサ、チップセット等の発熱部品６で発生する熱を放散する。発熱部品６はプリント配線板のような板体８の表面に設けられる。黒鉛製ヒートシンク集合体４は自身の底面により発熱部品６の上方に取り付けて熱を放散する。上記黒鉛製放熱器２は通常にパソコンやサーバーに応用され、進歩的な熱発散方式である。
【０００３】
また、黒鉛製放熱器２は、更に金属枠１０及び金属蓋体１２を有する。黒鉛製ヒートシンク集合体４は、黒鉛製基板４０２と、黒鉛製基板４０２の表面に固定し設けられる複数の黒鉛製シート４０４とを含め、その材質が軟らかくて壊れ易い。従って、丸ごとの黒鉛製ヒートシンク集合体４が金属枠１０の上に設けてある。この金属枠１０は中央開口１００２を有し、発熱部品６は板体８の上表面から金属枠１０の中央開口１００２を通って、黒鉛製ヒートシンク集合体４の黒鉛製基板４０２の底面に取り付けてある。そして、金属蓋体１２で金属枠１０の上に設けられた黒鉛製ヒートシンク集合体４を覆い、柔軟な黒鉛製ヒートシンク集合体４を潰し壊されないように保護している。
【考案の開示】
【考案が解決しようとする課題】
【０００４】
しかし、上記黒鉛製放熱器２は黒鉛製ヒートシンク集合体４を保護できるけれども、閉鎖した金属枠１０と金属蓋体１２構造は熱の発散を妨げ、熱発散の効果を大幅に低下させる。
【０００５】
しかも、上記金属枠１０と金属蓋体１２は、材料と装置を利用するので、黒鉛製放熱器２はコスト高となっていた。
【０００６】
そこで、本考案は、上記課題を解決した黒鉛製放熱器を提供することを目的とする。
【課題を解決するための手段】
【０００７】
本考案は、一つの基板（３２０２）と複数の黒鉛製シート（３２０４）を有し、前記黒鉛製シート（３２０４）が前記基板（３２０２）の表面に固定して設けてある黒鉛製ヒートシンク集合体（３２）と、
少なくとも一つの基部（３４０２）と、少なくとも一つの挟み部（３４０４）と、枠体（３４０６）を有する少なくとも一つの挟み支持枠（３４）とを有し、
前記挟み支持枠（３４）の前記基部（３４０２）が板体（４０）の上表面に固定され、上記枠体（３４０６）は前記基部（３４０２）から上へ延在しし、前記挟み部（３４０４）が前記枠体（３４０６）の側面から横向きに延在して前記基板（３２０２）を挟み、前記黒鉛製ヒートシンク集合体（３２）を前記板体（４０）の上方に固定してなる黒鉛製放熱器を特徴とする。
【考案の効果】
【０００８】
本考案によれば、熱発散効果を改善することが出来、製造コストを大幅に低減でき、黒鉛製ヒートシンク集合体を保護することが出来る。
【考案を実施するための最良の形態】
【０００９】
以下、本考案の実施例になる黒鉛製放熱器について説明する。
【実施例１】
【００１０】
図２は本考案の黒鉛製放熱器３０の外観図である。本考案は一種の黒鉛製放熱器３０及び黒鉛製ヒートシンク集合体３２を挟んで固定する挟み支持枠３４に関するものである。
【００１１】
黒鉛製放熱器３０は、黒鉛製ヒートシンク集合体３２と、少なくとも一対の挟み支持枠３４を有する。
【００１２】
黒鉛製ヒートシンク集合体３２は、基板３２０２と、複数の黒鉛製シート３２０４を有する。
【００１３】
黒鉛製シート３２０４は、基板３２０２の表面に固定してある。基板３２０２は、導熱材質の基板３２０２であって、黒鉛製基板或いは金属板等である。挟み支持枠３４の構成は、特に安定柔軟な黒鉛製基板３２０２に有利である。
【００１４】
基板３２０２の上表面には複数の溝が形成してあり、黒鉛製シート３２０４は基板３２０２の上方から基板３２０２の上表面にある複数の溝に嵌合して固定してあり、上記黒鉛製ヒートシンク集合体３２が形成される。
【００１５】
黒鉛製放熱器３０は、二つの挟み支持枠３４を使用する。この二つの挟み支持枠３４は、対称に設計されており、基板３２０２を挟んで、黒鉛製ヒートシンク集合体３２の相対する両側を固定し、これにより、より安定に黒鉛製ヒートシンク集合体３２を保護する。
【００１６】
図３（Ａ），（Ｂ），（Ｃ）に示すように、挟み支持枠３４は、二つの基部３４０２と、二つの挟み部３４０４と、一つの枠体３４０６とを含める。
【００１７】
挟み支持枠３４の二つの基部３４０２は、板体４０の上表面に固定される。
【００１８】
枠体３４０６は、基部３４０２から上方へ延びている。挟み部３４０４は、枠体３４０６の側面から横向きに延びている。挟み部３４０４は、基板３２０２を挟んで黒鉛製ヒートシンク集合体３２を板体４０の上に固定する。
【００１９】
上記板体４０は、特定の材料に限定されなく、特に表面に発熱部品４２を設けられるプリント配線板が適当である。発熱部品４２は、マイクロプロセッサやチップセットなど熱を発生する電子部品又は電気部品である。
【００２０】
図２に示すように、黒鉛製シート３２０４は互いに間隔を置いて基板３２０２の上表面に固定され、黒鉛製シート３２０４は基板３２０２の上表面から上へ延びている。
【００２１】
図３（Ａ），（Ｂ），（Ｃ）に示すように、挟み部３４０４は、左挟み部材５０と、右挟み部材５２と、中段挟み部材５４とを有する。左挟み部材５０と右挟み部材５２は、別々に枠体３４０６の左右両側に設けられ、それぞれに、上挟み突出部３４０４ａと下挟み突出部３４０４ｂとを有し、上、下挟み突出部３４０４ａ、３４０４ｂにより基板３２０２を挟む。中段挟み部材５４は、左挟み部材５０と右挟み部材５２の間に設けてある。中段挟み部材５４は、複数の上挟み突出部３４０４ａ´と、下支持板３４０４ｃとを有する。中段挟み部材５４の上挟み突出部３４０４ａ´は隣り合う黒鉛製シート３２０４の間の間隙に進入して、下支持板３４０４ｃと共に基板３２０２を挟む。
【００２２】
図２を参照するに、基部３４０２の底部と挟み部３４０４との間には隔たりがあり、この隔たりが、発熱部品４２を基板３２０２と板体４０との間に収納するための空間を形成する。基板３２０２の底面と発熱部品４２の上表面とが密着している。
【００２３】
また、挟み支持枠３４は、金属片を素材としてプレス成形によって製造することが出来、或いは、プラスチックを原料として一体体成型で製作できる。挟み支持枠３４により黒鉛製ヒートシンク集合体３２が安定に固定され、黒鉛製ヒートシンク集合体３２によって発熱部品４２に生じる熱を放散することを促進することができる。
【００２４】
図４は、黒鉛製放熱器３０へのファンの取り付けを示す。挟み支持枠３４は、更に、上端の左右側に一つずつ計二つの第一ファン枠６０を有し、左右側に一つずつ計二つの第二ファン枠７０を有する。
【００２５】
個々の第一ファン枠６０は、一つの支持枠６２と、支持枠６２に設けられた第一貫通孔６４とを有する。
【００２６】
支持枠６２は、枠体３４０６の上端から横向に黒鉛製ヒートシンク集合体３２の上方まで延びている。
【００２７】
図４に示すように、四つの第一嵌合部材（ねじ）６６は、二つの挟み支持枠３４の四つの第一貫通孔６４を通って、第一ファン６８を水平（横向）の向きで第一ファン枠６０に固定する。
【００２８】
枠体３４０６は透かし彫りで開口が形成してあり、空気の対流に有利である。
【００２９】
第二ファン枠７０は、一対のＬ形取り付け爪７２と、枠体３４０６にある一対の第二貫通孔７４とを有する。Ｌ形取り付け爪７２は、横向きに枠体３４０６から外へ延ばして縱向的な係止部を形成し、縱向に設けられる第二ファン７８の縁を係止する。二つの第二嵌合部材（ねじ）７６は別々に二つの第二貫通孔７４を通って第二ファン７８を第二ファン枠７０に固定する。ファン６８、７８が駆動されることにより黒鉛製ヒートシンク集合体３２の周囲の空気の対流が促進される。
【００３０】
従って、本考案の黒鉛製放熱器３０及び黒鉛製ヒートシンク集合体３２を挟んで固定する挟み支持枠３４により、有効に熱発散効果が改善される上に、挟み支持枠３４に使われるのは安価な材料で足りるので、黒鉛製放熱器３０の製造コストを大幅に低減できる。また、挟み支持枠３４によって黒鉛製ヒートシンク集合体３２を保護出来る。
【００３１】
本考案については、好ましい実施例により、その具体的な態様を図面において例示し、本考案の特徴と精神を詳細に説明した。しかしながら、本考案は、開示した特定の形態に限定されないだけでなく、添付のクレームに規定される本考案の精神及び範囲に該当するすべての修正、同等物及び別形態に及ぶものであることが理解されるべきである。
【図面の簡単な説明】
【００３２】
【図１】従来の技術の黒鉛製放熱器を示す図である。
【図２】本考案の実施例になる黒鉛製放熱器の取り付け状態を示す斜視図である。
【図３】図２中の挟み支持枠を示す図である。
【図４】図２に示す黒鉛製放熱器へのファンの取り付けを示す図である。
【符号の説明】
【００３３】
４０２  黒鉛製基板
１００２  中央開口
３０  黒鉛製放熱器
３２  黒鉛製ヒートシンク集合体
３４  挟み支持枠
３２０２  基板
４０４、３２０４  黒鉛製シート
３４０２  基部
３４０４  挟み部
３４０６  枠体
４０  板体
４２  発熱部品
５０  左挟み部材
５２  右挟み部材
５４  中段挟み部材
３４０４ａ  上挟み突出部
３４０４ａ´  上挟み突出部
３４０４ｂ  下挟み突出部
３４０４ｃ  下支持板
６０  第一ファン枠
６２  支持枠
６４  第一貫通孔
６６  第一嵌合部材
６８  第一ファン
７０  第二ファン枠
７２  Ｌ形取り付け爪
７４  第二貫通孔
７６  第二嵌合部材
７８  第二ファン
【図１】
0003139496.tif 000003
【図２】
0003139496.tif 000004
【図３】
0003139496.tif 000005
【図４】
0003139496.tif 000006